(57)【要約】【課題】組み立てが容易であり、かつ、木粉入り材料で構成した場合にも確実に結合することのできる組み立てデッキを提供する。【解決手段】フレーム部材と、該フレーム部材上に載置される天板部材と、を備え、結合部材によって、フレーム部材と天板部材とを互いに結合する組み立てデッキであって、結合部材は、軸部と、該軸部に設けられた係止部とを有し、係止部を、フレーム部材及び天板部材に設けた結合穴に係止させることによって、フレーム部材と天板部材とを互いに結合する構成とした。【選択図】図２
0003132140.tif 000002
【実用新案登録請求の範囲】
【請求項１】
フレーム部材と、該フレーム部材上に載置される天板部材と、を備え、結合部材によって、前記フレーム部材と前記天板部材とを互いに結合する組み立てデッキであって、
前記結合部材は、軸部と、該軸部に設けられた係止部とを有し、前記係止部を、前記フレーム部材及び前記天板部材に設けた結合穴に係止させることによって、前記フレーム部材と前記天板部材とを互いに結合する構成としたこと
を特徴とする組み立てデッキ。
【請求項２】
前記天板部材は、木粉入り樹脂による成形体であることを特徴とする請求項１に記載の組み立てデッキ。
【請求項３】
前記係止部は、弾性変形が可能であり、該係止部を前記結合穴へ圧入することによって係止されることを特徴とする請求項１又は請求項２に記載の組み立てデッキ。
【請求項４】
前記フレーム部材及び前記天板部材は中空で形成され、前記係止部には、前記軸部から延びる係止片が設けられ、前記係止片は弾性変形が可能であり、前記結合穴内への圧入途中で前記軸部側に変形し、前記結合穴から前記対象部材の内部空間に至ったときに前記軸部から離間する方向に回復する構成としたことを特徴とする請求項１乃至請求項３のうち、いずれか１に記載の組み立てデッキ。
【請求項５】
前記軸部には、前記係止部が２以上形成されていることを特徴とする請求項１乃至請求項４のうち、いずれか１に記載の組み立てデッキ。
【請求項６】
前記係止部は、少なくとも、前記結合部材の長手方向の両端部に設けられていることを特徴とする請求項１乃至請求項５のうち、いずれか１に記載の組み立てデッキ。
【請求項７】
前記天板部材は、長手方向の両端部に前記結合穴が設けられていることを特徴とする請求項１乃至請求項６のうち、いずれか１に記載の組み立てデッキ。
【請求項８】
前記フレーム部材は、中空の板状をなし、その厚さ方向に延びるように設けられたリブにより、複数の内部空間に分割され、前記内部空間ごとに前記結合穴が設けられていることを特徴とする請求項１乃至請求項７のうち、いずれか１に記載の組み立てデッキ。
【請求項９】
前記天板部材は、中空の板状をなし、その厚さ方向に延びるように設けられたリブにより、複数の内部空間に分割され、前記内部空間ごとに前記結合穴が設けられていることを特徴とする請求項１乃至請求項８のうち、いずれか１に記載の組み立てデッキ。
【請求項１０】
前記結合部材は、樹脂による成形体であることを特徴とする請求項１乃至請求項９のうち、いずれか１に記載の組み立てデッキ。
【考案の詳細な説明】
【技術分野】
【０００１】
本考案は、ベランダ、庭などに簡易に設置可能な組み立てデッキに関する。
【背景技術】
【０００２】
従来の組み立てデッキは、特許文献１乃至特許文献３に示すように、天板、フレームその他の部材を固定金具により互いに結合していた。すなわち、板状の固定金具を、結合対象の部材に合わせた形状に曲成し、この固定金具を対象部材にねじ止めすることによって、対象部材を互いに結合していた。
【０００３】
一方、組み立てデッキにおいては、木粉を配合した材料で構成したものの需要が高まりつつある。このような材料で構成された組み立てデッキは、木材のみで構成するよりも軽量とすることができ、かつ、低コストであるとともに、木粉を含むことから天然の木の質感を出すことができるからである。
【０００４】
【特許文献１】特開平１１−２８０１４４号公報
【特許文献２】特開２００２−４７７８２号公報
【特許文献３】特開２００１−２７１４１７号公報
【考案の開示】
【考案が解決しようとする課題】
【０００５】
しかしながら、上述のように固定金具を用いて構成部材を結合する場合は、ねじ止めに大きな労力及び長時間を要するため、作業者によっては組み立てが困難であることがあった。また、木粉入り材料で組み立てデッキを構成した場合には、その材料の特性により、ねじ溝の形状が崩れやすいため、結合対象部材同士の結合強度を確保することが難しかった。
【０００６】
そこで本考案は、組み立てが容易であり、かつ、木粉入り材料で構成した場合にも確実に結合することのできる組み立てデッキを提供することを目的とする。
【課題を解決するための手段】
【０００７】
上記課題を解決するために、本考案の組み立てデッキは、フレーム部材と、該フレーム部材上に載置される天板部材と、を備え、結合部材によって、フレーム部材と天板部材とを互いに結合する組み立てデッキであって、結合部材は、軸部と、該軸部に設けられた係止部とを有し、係止部を、フレーム部材及び天板部材に設けた結合穴に係止させることによって、フレーム部材と天板部材とを互いに結合する構成としたことを特徴としている。
【０００８】
本考案の組み立てデッキにおいて、天板部材は、木粉入り樹脂による成形体であることを特徴とする。
【０００９】
本考案の組み立てデッキにおいて、係止部は、弾性変形が可能であり、該係止部を結合穴へ圧入することによって係止されることを特徴とする。
【００１０】
本考案の組み立てデッキにおいて、フレーム部材及び天板部材は中空で形成され、係止部には、軸部から延びる係止片が設けられ、係止片は弾性変形が可能であり、結合穴内への圧入途中で軸部側に変形し、結合穴から対象部材の内部空間に至ったときに軸部から離間する方向に回復する構成としたことを特徴とする。
【００１１】
本考案の組み立てデッキにおいて、軸部には、係止部が２以上形成されていることを特徴とする。
【００１２】
本考案の組み立てデッキにおいて、係止部は、少なくとも、結合部材の長手方向の両端部に設けられていることを特徴とする。
【００１３】
本考案の組み立てデッキにおいて、天板部材は、長手方向の両端部に結合穴が設けられていることを特徴とする。
【００１４】
本考案の組み立てデッキにおいて、フレーム部材は、中空の板状をなし、その厚さ方向に延びるように設けられたリブにより、複数の内部空間に分割され、内部空間ごとに結合穴が設けられていることを特徴とする。
【００１５】
本考案の組み立てデッキにおいて、天板部材は、中空の板状をなし、その厚さ方向に延びるように設けられたリブにより、複数の内部空間に分割され、内部空間ごとに結合穴が設けられていることを特徴とする。
【００１６】
本考案の組み立てデッキにおいて、結合部材は、樹脂による成形体であることを特徴とする。
【考案の効果】
【００１７】
本考案においては、フレーム部材と天板部材を結合する結合部材を、軸部と、軸部に設けられた係止部と、で構成するとともに、この係止部を、フレーム部材及び天板部材に設けた結合穴に係止させることによって、フレーム部材と天板部材とを互いに結合する構成としている。このため、組み立てデッキの組み立てが容易となり、かつ、結合に要する部品点数を削減してコストを低減することができる。さらに、ねじ止め固定ではないため、木粉入り材料で構成した場合にも確実かつ強固に結合することができる。
【考案を実施するための最良の形態】
【００１８】
以下、本考案の実施形態に係る組み立てデッキについて図面を参照しつつ詳しく説明する。ここで、図１は、本実施形態に係る組み立てデッキ１０の構成を示す斜視図、図２は、組み立てデッキ１０を構成する各部材の構成を示す分解斜視図である。図１、図２に示すように、本実施形態にかかる組み立てデッキ１０は、天板部材２０、天板部材２０を支持するフレーム部材３０、及び、天板部材２０とフレーム部材３０を互いに結合する結合部材４０を備える。また、フレーム部材３０は、その下部に固定された脚部材５０に支持されている。以下に、各部材の詳細な構成について説明する。
【００１９】
天板部材２０は、中空の長板状部材であって、幅方向（図１の矢印Ａ方向）に複数枚並べてフレーム部材３０上に配置される。天板部材２０は、木粉を含む樹脂の押出成形によって形成された中空の芯材の外表面上に、樹脂の押出成形によって被覆材を形成してなるものである。なお、天板部材２０は、複数の長板状部材に代えて、１枚の中空板状部材として構成することもできる。
【００２０】
図３は、結合部材４０を用いて天板部材２０とフレーム部材３０を互いに結合した状態を示す、図１の天板部材２０とフレーム部材３０の結合部分における上下方向断面図である。図３に示すように、天板部材２０は、板厚方向（図３の上下方向）に延びるように設けられたリブ２１によって内部空間２２が複数に分割されている。リブ２１を形成することにより、天板部材２０の厚さ方向の強度を維持しつつ、内部空間２２を形成することができる。リブ２１を設ける場所及び数は任意に定めることができる。なお、天板部材の長手方向端部において、内部空間２２を閉塞するようなエンドキャップ（図に示さず）を取り付けてもよい。
【００２１】
それぞれの内部空間２２からは、フレーム部材３０に接する下面２４を厚さ方向に貫通する結合穴２３が穿設されている。この結合穴２３は、任意の位置に設けることができるが、フレーム部材３０の形状に合わせて、長手方向両端部に設けることができる。
【００２２】
天板部材２０は、被覆材を設けない構成や、被覆材に代えて樹脂を薄く塗布する構成とすることもできるが、屋外で用いる組み立てデッキの耐水性、耐候性を考慮すると、芯材の外表面上に被覆材を形成することが好ましい。
【００２３】
また、一般に、部材の強度向上のために外面に段部を形成することが行われるが、木粉を含む樹脂の押出成形では、このような段部を形成することが困難である。しかし、芯材の外表面上に被覆材を形成することにより、段部加工をすることなく、芯材を補強することができる。
【００２４】
芯材を構成する樹脂としては、例えば、ポリプロピレン、ポリエチレンその他のオレフィン系樹脂、塩化ビニル、ＡＢＳ樹脂（アクリロニトリル／ブタジエン／スチレン共重合体樹脂）、ポリスチレン、アクリル樹脂その他の熱可塑性樹脂を用いることができる。
【００２５】
芯材には、天然の木に近い質感を実現する観点からは、高い割合（例えば７０重量％以上）で木粉を配合することが好ましい。芯材に用いる木粉としては、例えば檜、杉、栂、松、桂、栗、ブナの木材の切削屑、研磨屑、切断屑、粉砕物を用いることができる。成型品の強度、見栄えの観点からは、木粉の粒径は小さいことが好ましく、例えば５００〜６００μｍであるとよい。また、木粉と樹脂との相溶性向上のためには、相溶化剤（例えば、無水マレイン酸変成ポリプロピレン樹脂その他のポリオレフィンを不飽和カルボン酸で変性した化学変性ポリオレフィン）を、例えば０．１〜１０重量％用いることが好ましい。
【００２６】
一方、被覆材を構成する樹脂としては、例えば、ポリプロピレン、ポリエチレンその他のオレフィン系樹脂、塩化ビニル、ＡＢＳ樹脂、ポリスチレン、アクリル樹脂その他の熱可塑性樹脂を用いることができる。
【００２７】
芯材の質感を生かすには、被覆材は、透明であって光沢のあるものが好ましい。また、屋外使用に耐えるためには、表面硬度が高いものがよい。さらに、形状加工が容易であると、製造コストを低減できるため好ましい。このような点を考慮すると、被覆材としては、ポリプロピレンを主成分としたものが適当である。被覆材にポリプロピレンを含む材料を選択した場合には、芯材にもポリプロピレンを含むことが好ましい。被覆材と芯材の密着性を向上させるためである。
【００２８】
また、外気にさらされる被覆材は耐寒性向上のためには、耐寒性の高い物質（例えばポリエチレン）を配合又は共重合させるとよい。さらにまた、被覆材を構成する樹脂のメルトインデックスは、押出成形を良好に行うためには、０．１〜２０の範囲にあることが好ましい。
【００２９】
被覆材の耐候性向上のためには、紫外線吸収剤（例えば、２−ヒドロキシ−４−オクトキシベンゾフェノン、２−（２’−ヒドロキシ−５’−メチルフェニル）ベンゾトリアゾール）、光安定剤（例えば、アデカスタブＬＡ−７７（商品名）（旭電化工業株式会社製））その他の耐候剤を用いることが望ましい。耐候剤の配合量は、被覆材表面への析出を避けつつ耐候効果を発揮することを考慮して定めることが好ましく、例えば０．１〜１重量％の範囲とすることができる。
【００３０】
被覆材には、組み立てデッキの用途、使用目的に応じて、充填剤、着色剤、抗菌剤、防かび剤、難燃剤、酸化防止剤、帯電防止剤を添加することができる。
【００３１】
フレーム部材３０は、中空の略直方体状をなし、その上面３５上に天板部材２０を載置保持する。フレーム部材３０は、天板部材２０と同様に、木粉を含む樹脂の押出成形体である中空の芯材の外表面上に、樹脂の押出成形によって被覆材を形成したものであって、用いる材料も天板部材２０と同様である。図３に示すように、フレーム部材３０の上面３５には、内部空間３２から厚さ方向（図３の上下方向）に貫通する結合穴３３が形成されている。この結合穴３３は、上面３５上に天板部材２０を配置したときに、天板部材２０に設けた結合穴２３に連なって、結合穴３３から結合穴２３への貫通穴が形成されるような位置に配置される。
【００３２】
また、フレーム部材３０の内部空間３２は、厚さ方向に延びるように設けられたリブ３１によって複数に分割されている。結合穴３３は、複数の内部空間３２にそれぞれ設けられている。なお、リブ３１は、リブ２１に対応する位置に設けられているが、リブ２１とは別の場所に設けることもでき、その数も任意である。
【００３３】
図４は、結合部材４０の構成を示す斜視図である。図４に示すように、結合部材４０は、軸部４１と、軸部の両端に設けられた係止部４２、４３と、位置決め部４４と、からなる。係止部４２、４３は、軸部４１の両端部から軸部４１の軸線に沿って延びる係止軸部４２ａ、４３ａと、係止軸部４２ａ、４３ａの外周に設けられた係止片４２ｂ、４３ｂと、をそれぞれ備える。位置決め部４４は、結合部材４０の係止部４２、４３のうちの一方を、天板部材２０及びフレーム部材３０の一方に、まず圧入するときに、他方の部材に圧入する係止部もが圧入されてしまわないように位置決めするように設けられている。結合部材４０は弾性変形可能であり、例えばゴム、又は、弾性を備える樹脂の成形体である。なお、結合部材４０は、係止片４２ｂ、４３ｂが弾性変形可能であれば、それ以外の部分を別の材料で形成することもできる。
【００３４】
係止片４２ｂ、４３ｂは、外力が加わっていない自然状態において、軸部４１の反対側端部に向かうほど軸部４１から離間するように広がった形状を有する。このときの外径は、結合穴２３及び結合穴３３の内径よりも大きくなる。係止片４２ｂ、４３ｂは、このように広がった形状であれば、例えば、それぞれ単数又は複数の棒状をなしていてもよいし、傘状とすることもできる。また、これらの形状に代えて、軸方向（長手方向）（図４の上下方向）に直交する方向（図４の左右方向）へ延びる棒状、又は、外方へ突出する突起形状（例えば半球状、円錐状）とすることもできる。さらに、係止片４２ｂ、４３ｂを設ける位置は、結合部材４０の軸部４１を結合穴２３、結合穴３３内に圧入したときに、内部空間２２内に係止部４２が、内部空間３２内に係止部４３がそれぞれ配置されれば、係止軸部４２ａ、４３ａの両端以外の位置であってもよい。
【００３５】
図３に示すように、天板部材２０とフレーム部材３０は、複数の結合部材４０の係止部４２及び係止部４３を、内部空間２２及び内部空間３２内にそれぞれ係止することによって、互いに固定される。すなわち、係止部４２の場合では、まず、係止片４２ｂを閉じるように弾性変形させて係止軸部４２ａに接触させた状態で、軸部４１の軸方向端部から天板部材２０の結合穴２３内に圧入する。このとき、係止片４２ｂは、係止軸部４２ａ側へ変形し、係止軸部４２ａと係止片４２ｂは一本の軸状をなす。さらに圧入していくと、係止部４２の先端が天板部材２０の内部空間２２内に至り、係止片４２ｂ全体が内部空間２２内に入ると、係止片４２ｂはその弾性力によって自然状態に回復する。自然状態の係止片４２ｂは、結合穴２３の内径よりも大きく広がっているため、軸部４１を引き抜く力を加えても、内部空間２２に係止された状態を維持する。
【００３６】
一方、係止部４３も、係止部４２と同様に、フレーム部材３０に係止される。具体的には、まず、係止片４３ｂを閉じるように弾性変形させて係止軸部４３ａに接触させた状態で、軸部４１の軸方向端部からフレーム部材３０の結合穴３３内に圧入する。このとき、係止片４３ｂは、係止軸部４３ａ側へ変形し、係止軸部４３ａと係止片４３ｂは一本の軸状をなす。さらに圧入していくと、係止部４３の先端がフレーム部材３０の内部空間３２内に至り、係止片４３ｂ全体が内部空間３２内に入ると、係止片４３ｂはその弾性力によって自然状態に回復する。自然状態の係止片４３ｂは、結合穴３３の内径よりも大きく広がっているため、軸部４１を引き抜く力を加えても、内部空間３２に係止された状態を維持する。
【００３７】
以上のように構成された組み立てデッキ１０は、複数並べて用いることができる。ここで、図５は、二つの組み立てデッキを互いに結合した状態を示す斜視図である。組み立てデッキ１０と、別個の組み立てデッキ１１０と、の連結は、例えば図５に示すように、連結具６０としてのボルト６０ａとナット６０ｃとを用いればよく、脚部材５０と脚部材１５０とをワッシャー６０ｂを介して連結するようにする。
【００３８】
また、他の連結方法としては、本考案による結合部材を用いた連結も可能である。上述の実施形態では係止部４２、４３の二つを設けたが、係止部４２、４３に加えて、軸部４１から外方に延びる第３係止部を設け、例えば、この第３係止部を天板部材２０又はフレーム部材３０から外方へ突出させ、別個の組み立てデッキ１１０の天板部材１２０又はフレーム部材１３０に設けた結合穴に圧入し、その内部空間内に係止片を係止させることによって、二つの組み立てデッキを結合することができる。
【００３９】
上述の実施形態では係止部４２、４３の二つを設けたが、組み立てデッキ１０の仕様に応じて任意の数とすることができる。例えば、係止部４２、４３のうちの一方のみを設けて、軸部４１の反対側の端部は天板部材２０又はフレーム部材３０に接着固定してもよい。
【００４０】
脚部材５０は、フレーム部材３０の下面３４に固定され、フレーム部材３０を支持する。脚部材５０は、例えば樹脂の成形体で構成することができ、この場合は、フレーム部材３０の下面３４に接着することによって固定する。脚部材５０は、天板部材２０及びフレーム部材３０と同様に、木粉を含む樹脂からなる中空の芯材上に、樹脂の押出成形で被覆材を形成したものとすることもできる。この場合は、天板部材２０とフレーム部材３０の結合と同様に、結合部材４０と同様の結合部材を用いて、結合部材４０に結合する。
【００４１】
以上のように構成されたことから、上記実施形態によれば、次の効果（１）〜（４）を奏する。
（１）少なくとも天板部材２０を、木粉を含む樹脂で構成したことによって、天然の木の質感を備えた組み立てデッキを提供することができる。
（２）天板部材２０を、芯材と被覆材から構成したことによって、耐水性、耐候性を向上することができるとともに、段部を設けるなどの外面加工を施すことなく高い強度を確保することができる。
（３）天板部材２０及びフレーム部材３０にリブ２１、３１をそれぞれ設けたことにより、各部材の強度を向上させることができる。
（４）結合部材４０の係止部４２、４３を、天板部材２０及びフレーム部材３０に設けた結合穴２３、３３にそれぞれ圧入し、内部空間２２、３２にそれぞれ係止する構造により、組み立てデッキ１０の組み立てが容易となる。さらに、さらに、ねじ止め固定ではないため、天板部材２０及びフレーム部材３０を木粉入り材料で構成しても、確実かつ強固に結合することができる。また、固定金具で固定する場合に比べて、結合に要する部品点数を削減してコストを低減することができる。
【００４２】
本考案について上記実施形態を参照しつつ説明したが、本考案は上記実施形態に限定されるものではなく、改良の目的または本考案の思想の範囲内において改良または変更が可能である。
【図面の簡単な説明】
【００４３】
【図１】本考案の実施形態に係る組み立てデッキの構成を示す斜視図である。
【図２】本考案の実施形態に係る組み立てデッキを構成する各部材の構成を示す分解斜視図である。
【図３】図１の天板部材とフレーム部材の結合部分における上下方向断面図である。
【図４】本考案の実施形態に係る結合部材の構成を示す斜視図である。
【図５】本考案の実施形態に係る組み立てデッキを互いに結合した状態を示す斜視図である。
【符号の説明】
【００４４】
１０    組み立てデッキ
２０    天板部材
２１    リブ
２２    内部空間
２３    結合穴
３０    フレーム部材
３１    リブ
３２    内部空間
３３    結合穴
４０    結合部材
４１    軸部
４２    係止部
４２ａ  係止軸部
４２ｂ  係止片
４３    係止部
４３ａ  係止軸部
４３ｂ  係止片
５０    脚部材
６０    連結具
６０ａ  ボルト
６０ｂ  ワッシャー
６０ｃ  ナット
【図１】
0003132140.tif 000003
【図２】
0003132140.tif 000004
【図３】
0003132140.tif 000005
【図４】
0003132140.tif 000006
【図５】
0003132140.tif 000007